(57)【特許請求の範囲】
【請求項１】
依頼主から依頼された広告情報を複数箇所に設置された表示装置に転送して表示させる広域広告システムであって、
広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末からの参照要求に応じて各表示装置の表示内容の見える位置を通過する通行人の階層構成情報を時間帯別に格納した通行人管理テーブルから通行人の階層構成情報を検索し、参照要求元のクライアント端末に返信する手段とを備えることを特徴とする広域広告システム。
【請求項２】
依頼主から依頼された広告情報を複数箇所に設置された表示装置に転送して表示させる広域広告システムであって、
広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、各表示装置における予約状況を前記予約管理テーブルを検索して調べ、予約が未登録の時間帯における通行人階層情報を各表示装置の表示内容の見える位置を通過する通行人の階層構成情報を時間帯別に格納した通行人管理テーブルからから取得し、通行人階層に適合する表示内容を表示させる手段とを備えることを特徴とする広域広告システム。
【請求項３】
依頼主から依頼された広告情報を複数箇所に設置された表示装置に転送して表示させる広域広告システムであって、
広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、表示装置の位置および数を含むパラメータによって表示効果値を定めた表示効果テーブルから予約登録された表示装置の表示効果値を取得し、その表示効果値を参照して利用料金を算出して課金する手段とを備えることを特徴とする広域広告システム。
【請求項４】
依頼主から依頼された広告情報を複数箇所に設置された表示装置に転送して表示させる広域広告システムであって、
広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の様子を撮影した静止画または動画を当該クライアント端末に転送して表示させる手段とを備えることを特徴とする広域広告システム。
【請求項５】
依頼主から依頼された広告情報を複数箇所に設置された表示装置に転送して表示させる広域広告システムであって、
広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の住民構成、経済指標、環境指標などの参照情報を当該クライアント端末に転送して表示させる手段とを備えることを特徴とする広域広告システム。
【請求項６】
クライアント端末から受信した広告情報をクライアント端末から指定された位置に設置された表示装置に転送して表示させる広域広告装置であって、
クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末からの参照要求に応じて各表示装置の表示内容の見える位置を通過する通行人の階層構成情報を時間帯別に格納した通行人管理テーブルから通行人の階層構成情報を検索し、参照要求元のクライアント端末に返信する手段とを備えることを特徴とする広域広告装置。
【請求項７】
クライアント端末から受信した広告情報をクライアント端末から指定された位置に設置された表示装置に転送して表示させる広域広告装置であって、
クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、各表示装置における予約状況を前記予約管理テーブルを検索して調べ、予約が未登録の時間帯における通行人階層情報を各表示装置の表示内容の見える位置を通過する通行人の階層構成情報を時間帯別に格納した通行人管理テーブルからから取得し、通行人階層に適合する表示内容を表示させる手段とを備えることを特徴とする広域広告装置。
【請求項８】
クライアント端末から受信した広告情報をクライアント端末から指定された位置に設置された表示装置に転送して表示させる広域広告装置であって、
クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、表示装置の位置および数を含むパラメータによって表示効果値を定めた表示効果テーブルから予約登録された表示装置の表示効果値を取得し、その表示効果値を参照して利用料金を算出して課金する手段とを備えることを特徴とする広域広告装置。
【請求項９】
クライアント端末から受信した広告情報をクライアント端末から指定された位置に設置された表示装置に転送して表示させる広域広告装置であって、
クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の様子を撮影した静止画または動画を当該クライアント端末に転送して表示させる手段とを備えることを特徴とする広域広告装置。
【請求項１０】
クライアント端末から受信した広告情報をクライアント端末から指定された位置に設置された表示装置に転送して表示させる広域広告装置であって、
クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の住民構成、経済指標、環境指標などの参照情報を当該クライアント端末に転送して表示させる手段とを備えることを特徴とする広域広告装置。
【発明の詳細な説明】
【０００１】
【発明の属する技術分野】
本発明は、一般の広告依頼主または広告宣伝代理業者などの広告依頼主から依頼された広告情報をインタネットを通じて建物などの構造物に設置された表示装置に転送して表示させる広域広告システムおよび装置に関するものである。
【０００２】
【従来の技術】
従来において、企業の広告あるいは商品の広告を行う場合、市街地等の建物の屋上等に看板を設置し、これに必要な広告情報のポスターを貼り付けるという広告宣伝方法が一般的に行われている。しかし、この方法では、広告内容を変更するためにポスターを貼り替えなければならず、迅速に広告内容を変更できないという問題があった。
そこで、例えば特開平８−１９４４４７号公報に開示されているように、無線によって表示画像情報を受信して表示する電子看板を設け、この電子看板に対し自動車などの移動体送信局から画像情報を送信することにより、広告内容を変更するようにしたものがある。
また、特開平９−３２５９９２号公報に開示されているように、画像データを記憶する記憶部を備えた表示装置に対し、パーソナルコンピュータ等からネットワークを通じて広告内容に対応する画像情報を送信し、広告内容を表示させるようにしたものがある。
【０００３】
【発明が解決しようとする課題】
しかし、これらの方法は、基本的には専門の広告宣伝業者が一般の広告依頼主からの依頼を受けて実施することを前提とするものであり、一般の広告依頼主が簡便な操作で広告内容を表示させることはできないという問題がある。
また、予算に応じて、表示装置のサイズあるいは数を選択しようとしても、どのような表示装置が準備されているのかを依頼主側で知ることができないため、予算あるいは広告宣伝効果を考慮した広告の仕方を選択できず、自由度がないという問題がある。
また、広告宣伝効果を大きくするには、表示内容が見える位置を通過する通行人の年齢、性別などの階層構成に応じて表示内容を変えるのが適切であるが、従来のシステムでは通行人の階層構成に拘わらず同じ表示内容を表示しているため、適切な広告宣伝効果を期待できないという問題がある。
【０００４】
本発明はこのような問題に鑑みなされたものであり、その目的は、一般の広告依頼主を含む全ての依頼主が簡便な操作で広告内容および表示位置を選択して表示させることができる広域広告提供システムを提供することにある。
また、予算あるいは広告宣伝効果を依頼主側で考慮した広告の仕方を選択することができる広域広告提供システムを提供することにある。
さらに、通行人の階層構成を考慮し、適切な広告宣伝効果を得ることができる広域広告提供システムを提供することにある。
【０００５】
【課題を解決するための手段】
上記目的を達成するために、本発明は、広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末からの参照要求に応じて各表示装置の表示内容の見える位置を通過する通行人の階層構成情報を時間帯別に格納した通行人管理テーブルから通行人の階層構成情報を検索し、参照要求元のクライアント端末に返信する手段とを備えることを特徴とする。
【０００６】
また、広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、各表示装置における予約状況を前記予約管理テーブルを検索して調べ、予約が未登録の時間帯における通行人階層情報を各表示装置の表示内容の見える位置を通過する通行人の階層構成情報を時間帯別に格納した通行人管理テーブルからから取得し、通行人階層に適合する表示内容を表示させる手段とを備えることを特徴とする。
【０００７】
また、広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、表示装置の位置および数を含むパラメータによって表示効果値を定めた表示効果テーブルから予約登録された表示装置の表示効果値を取得し、その表示効果値を参照して利用料金を算出して課金する手段とを備えることを特徴とする。
【０００８】
また、広告情報を作成し、発信するクライアント端末と、インタネットを介してクライアント端末から受信した広告情報をクライアント端末から指定された表示装置に向けてインタネットを介して送信する広告制御サーバとから成り、
前記クライアント端末は、表示装置の位置情報、表示内容、表示希望時間帯および依頼主識別情報を含む表示要求を入力する入力手段と、入力された表示要求を前記インタネットを通じて前記広告制御サーバに送信する送信手段とを備え、
前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の様子を撮影した静止画または動画を当該クライアント端末に転送して表示させる手段とを備えることを特徴とする。
また、前記広告制御サーバは、クライアント端末から受信した表示要求に対し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の住民構成、経済指標、環境指標などの参照情報を当該クライアント端末に転送して表示させる手段とを備えることを特徴とする。
【００１０】
本発明に係る広域広告装置は、クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末からの参照要求に応じて各表示装置の表示内容の見える位置を通過する通行人の階層構成情報を時間帯別に格納した通行人管理テーブルから通行人の階層構成情報を検索し、参照要求元のクライアント端末に返信する手段とを備えることを特徴とする。
また、クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、各表示装置における予約状況を前記予約管理テーブルを検索して調べ、予約が未登録の時間帯における通行人階層情報を各表示装置の表示内容の見える位置を通過する通行人の階層構成情報を時間帯別に格納した通行人管理テーブルからから取得し、通行人階層に適合する表示内容を表示させる手段とを備えることを特徴とする。
【００１１】
また、クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、表示装置の位置および数を含むパラメータによって表示効果値を定めた表示効果テーブルから予約登録された表示装置の表示効果値を取得し、その表示効果値を参照して利用料金を算出して課金する手段とを備えることを特徴とする。
【００１２】
また、クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の様子を撮影した静止画または動画を当該クライアント端末に転送して表示させる手段とを備えることを特徴とする。
また、クライアント端末から表示装置の位置情報、表示内容、表示希望時間帯および依頼主識別情報を含む表示要求を受信し、当該表示要求で要求されている表示装置の予約状況を予約管理テーブルから検索し、予約状況に応じて当該表示要求に対する予約登録を行う表示予約管理手段と、クライアント端末から指定された表示装置が位置する地域の住民構成、経済指標、環境指標などの参照情報を当該クライアント端末に転送して表示させる手段とを備えることを特徴とする。
【００１３】
【発明の実施の形態】
以下、本発明の実施形態を図面に従い説明する。
図１は、本発明の広域広告提供システムの一実施形態を示すシステム構成図である。
図１に示すシステムは、一般の広告依頼主が使用するクライアントコンピュータ１１，１２および専門の広告宣伝業者が使用するクライアントコンピュータ１３と、システム保守管理者が使用するクライアントコンピュータ１４とを備え、さらにインタネット１５を介してクライアントコンピュータ１１〜１３から受信した広告情報を指定された構造物１６〜１８の表示装置１９〜２２に向けてインタネット１５を介して送信するサーバ２３と、このサーバ２３から受信した広告情報を自構造物または隣接構造物に設置された単一または複数の表示装置１９〜２２に転送し、表示させるディスプレイ制御装置２４〜２６とを備えている。ここで、各クライアントコンピュータ１１〜１４およびサーバ２３、ディスプレイ制御装置２４〜２６は通信回線２７〜３３によってインタネット１５に接続可能に構成されている。
【００１４】
表示装置１９〜２２は、図２に示すように複数の表示ユニット３４を平板上に並べて構成したものである。この表示ユニット３４は、例えばシート状の表示装置で構成され、建物の壁面などに並べて取り付けることができるものである。
このような構成の表示装置１９〜２２は、図３に示すように、ｍ個（ｍ≧２）単位でグループ化してマルチスクリーン３５〜３９として分割してディスプレイ制御装置２４〜２６から駆動可能になっている。なお、図１においては、建造物毎にディスプレイ制御装置を設け、各建造物に設置された表示装置１９〜２２を駆動するようにしているが、建造物が隣接している場合、複数の表示装置を１つのディスプレイ制御装置で駆動する構成にすることができる。
【００１５】
図４は、サーバ２３の詳細構成を示すブロック構成図であり、キーボード４１、マウス４２、ＦＤ読取装置４３、イメージスキャナ４４、インタネット１５との回線接続部４５、ＣＰＵ４６、表示装置４７、記憶装置４８および外部記憶装置４９を備えている。
ＦＤ読取装置４３は、依頼主からの広告内容がフロッピーディスクによって持ち込まれた場合にその記憶内容を読み出すために用意されるものである。また、イメージスキャナ４４は、依頼主からの広告内容が写真等の印刷物で持ち込まれた場合にその記録内容を読み取るために用意されるものである。
記憶装置４８には、依頼主からの表示要求を受付け、予約を行うなどの各種のプログラムが記憶されている。これらのプログラムは、利用者管理部４８１、コンテンツ表示予約・照会部４８２、コンテンツ模擬表示部４８３、課金情報管理部４８４、表示予約オークション処理部４８５、コンテンツチェック部４８６、スケジューリング部４８７、マルチスクリーン管理部４８８、表示情報同報配信部４８９、表示最適情報管理部４９０、主要母国語翻訳部４９１、条件検索部４９２、使用電力量概算計算部４９３、世界カレンダー４９４という機能的な処理プログラムによって構成されている。
【００１６】
また、外部記憶装置４９には、各種の管理テーブル群４９５と、表示地域の住民構成などの基本情報４９６が記憶されている。なお、基本情報４９６は、依頼主からの参照要求があった際に、インタネット１５を通じて該当する自治体のデータベースからその都度取得する構成であってもよい。
利用者管理部４８１は、依頼主のＩＤ番号や名称、料金支払い方法などの利用者ごとの個別情報を管理するものである。
コンテンツ表示予約・照会部４８２は、依頼主からの広告の表示要求に対し、予約状況を調べ、予約がなければ予約登録し、さらに利用料金を算出して依頼主に請求するなどの処理を行うものである。
コンテンツ模擬表示部４８３は、依頼主からの要求に応じて広告内容の模擬表示画像を生成し、依頼主のクライアントコンピュータに返信するものである。
課金情報管理部４８４は、予約登録された表示要求に対する利用料金あるいは条件検索によって検索された表示要求に対する利用料金を算出するものである。表示予約オークション処理部４８５は、新規の表示要求に対し他の表示要求が既に予約登録されている場合、該当する依頼主同士でのオークション処理を起動し、利用料金の高い方の依頼主の表示要求を選択して予約登録するものである。
【００１７】
コンテンツチェック部４８６は、予約登録された表示内容の中に公序良俗に抵触するような表現などの不適切な表現があるか否かをチェックし、不適切な表現が存在している場合には、表現を改めるように通知し、指定日までに改めなかった場合は予約を取消す、あるいは以後の表示要求を拒否するなどの処理を行うものである。
【００１８】
スケジューリング部４８７は１日の中で指定された時刻に、所定時間後に表示すべき予約が登録されているか否かを調べ、登録されている場合には、その予約登録された表示内容（コンテンツ）を該当する表示装置に向けて表示情報同報配信部４８９から配信させるものである。
マルチスクリーン管理部４８８はマルチスクリーン形式による表示予約があった場合、要求されたマルチスクリーンの表示パターンで該当する表示装置が表示可能であるかなどのチェックを行い、可能であれば、該当する表示装置の表示モードを要求されたマルチスクリーンの表示パターンでの表示モードに設定するものである。
表示情報同報配信部４８９は、スケジューリング部４８７からの指示に従い、予約登録された表示内容（コンテンツ）を該当する表示装置に向けて配信するものである。
表示最適情報管理部４９０は、各表示装置における予約状況を調べ、予約が未登録の時間帯における通行人階層情報を通行人管理テーブル（後述）から取得し、通行人階層に適合する表示内容を表示させるものである。
主要母国語翻訳部４９１は、表示装置に表示させるコンテンツを当該表示装置が設置された地域の母国語に翻訳するものである。
条件検索部４９２は、依頼主が広告を依頼する場合に、予算や表示希望位置に適合する表示装置の予約状況、利用料金を調べて依頼主に返信するためのものである。
【００１９】
使用電力量概算計算部４９３は、表示に要した電力量がディスプレイ制御装置から返信されて来た場合に、その電力量の値が予め計算した概算値の許容範囲内でない場合には、表示が正常に行われていないものと判断し、保守点検作業指示をシステム管理者に通知するものである。この場合、表示が正常に行われない現象は、ディスプレイ制御装置自身の故障、通信回線の異常、表示装置の故障の他に、ディスプレイ制御装置を設置した構造物の持ち主等が故意に表示時間を短くする、あるいは全く表示させないなどの不正行為をした場合も起こり得る。使用電力量概算計算部４９３はこれらの現象を全て検出するために特別に用意されるものであり、この機能を用意しておくことにより、表示装置が国外の遠隔地にあっても装置故障あるいは不正行為を確実に検出し、対策をとることが可能になる。
世界カレンダー４９４は、複数の国に同じ内容の広告を同時刻に表示する場合に、各国の標準時刻に合わせて表示させるためのものである。
【００２０】
図５は、ディスプレイ制御装置２４〜２６の内部構成を詳細に示したブロック構成図であり、キーボード５１、マウス５２、ＣＰＵ５３、表示装置５４、インタネット１５への回線接続部５５、記憶装置５６、外部記憶装置５７、ディスプレイ駆動回路５８、電力計６０を備えている。
記憶装置５６には、表示情報受信処理部５６１、表示パターン展開処理部５６２、ディスプレイ管理処理部５６３、世界カレンダー５６４などのプログラムが記憶されている。また、外部記憶装置５７には、当該ディスプレイ制御装置が駆動する表示装置の各表示ユニットの属性情報（マルチスクリーン表示モードの可否、マルチスクリーン表示モードでの表示パターンなど）５７１が格納されている。
【００２１】
図６は、サーバ２３の外部記憶装置４９内に設けられる依頼主管理テーブル６１の構成を示すものであり、依頼主ＩＤ６０１、依頼主種別コード６０２、依頼主名称６０３、依頼主Ｅメールアドレス６０４、支払い種別コード６０５、利用回数が多くなるに従って料金を割り引くための利用ポイント６０６、利用制限コード６０７の各格納フィールドが設けられている。
依頼主種別コード６０２は、依頼主が個人、企業、官公庁などのいずれに属するかを区別するものである。これは、依頼主が官公庁である場合に料金を企業とは異なる計算式で計算する場合などに使用するものである。
依頼主Ｅメールアドレス６０４は、予約結果や利用料金等をＥメールで依頼主に返信する場合に使用するためのものである。
支払い種別コード６０５は、利用料金を銀行引き落とし、現金振込み、クレジットカード、小切手等のいずれで決済するかを示すものである。
利用制限コード６０７は、当該依頼主の予約要求があっても数値が大きくなるほど予約登録を制限するためのものである。これは、例えば料金の支払い遅延回数が多いなどの理由によって、利用を制限する場合に使用するものであり、システム管理者によって値が変更される。
【００２２】
図７は、サーバ２３の外部記憶装置４９内に設けられる予約受付け管理テーブル７１の構成を示すものであり、予約番号７０１、依頼主ＩＤ７０２、予約受付け日時７０３、予約されたディスプレイ数（表示ユニットの数）７０４、予約されたディスプレイＩＤ（表示ユニットのＩＤ）（１）７０５〜（ｎ）７０６、表示開始日時７０７、表示終了日時７０８、コンテンツＩＤ７０９、マルチスクリーン表示モード７１０、予約金額７１１、予約状態コード７１２の各フィールドを備えている。ディスプレイ数（表示ユニットの数）７０４、予約されたディスプレイＩＤ（表示ユニットのＩＤ）（１）７０５〜（ｎ）７０６、表示開始日時７０７、表示終了日時７０８、コンテンツＩＤ７０９、マルチスクリーン表示モード７１０が予約内容を構成する。
ディスプレイ数７０４は、表示装置１９〜２２の数ではなく、図３に示した表示ユニット３４を単位とした数である。例えば、予約番号７０１＝「１２３４５６」の予約内容では、ディスプレイ数７０４＝４０であるので、４０個の表示ユニットを用いて分割表示する予約であることを示している。
マルチスクリーン表示モード７１０は、マルチスクリーン形式で表示するのか、他の表示装置と連携して表示するのかを区別するものである。
予約状態コード７１２は、予約された内容が金額を含めて確定しているのか、確定待ちであるのか、オークション途中であるのかを区別するものである。確定待ちとオークション中との相違は、確定待ちが予約競合なしの状態であるのに対し、オークション中が予約競合ありの確定待ち状態であるということである。
【００２３】
図８は、サーバ２３の外部記憶装置４９内に設けられるスケジュール管理テーブル８１の構成を示すものであり、スケジュール番号８０１、予約番号８０２、送信状態コード８０３、表示管理コード８０４の各フィールドを備えている。
予約番号８０２は図７の予約番号７０１と同じであるが、スケジュール番号８０１は確定した予約内容を表示すべくスケジュールした番号を意味する。送信状態コード８０３は、スケジュールした予約内容を送信したのか、送信待ちの状態にあるのか、送信したけれども送信エラーとなったのかを示すものである。表示管理コード８０４は、スケジュールした予約内容を既に表示したのか、表示待ちにあるのかを示すものである。
【００２４】
図９は、サーバ２３の外部記憶装置４９内に設けられるディスプレイ管理テーブル（その１）９１の構成を示すものであり、ディスプレイ制御装置ＩＤ９０１、ＩＰアドレス９０２、国コード９０３、地域コード９０４、管理者ＩＤ９０５、稼動開始日時９０６、状態コード９０７の各フィールドを備えている。
ディスプレイ制御装置ＩＤ９０１は、ディスプレイ制御装置２４〜２６に固有に割当てられたＩＤであり、国コード９０３および地域コード９０４は当該ディスプレイ制御装置が設置された国及び地域に割当てられたコードである。状態コード９０７は、当該ディスプレイ制御装置が稼動中であるのか、修理中であるのか、停止中であるのかを示すものである。
【００２５】
図１０は、サーバ２３の外部記憶装置４９内に設けられる通行人管理テーブル１０１の構成を示すものであり、ディスプレイＩＤ別のテーブル１０１−１〜１０１−ｎから構成され、各テーブルには、時間帯１０１１別に当該ディスプレイ制御装置で駆動している表示装置の表示内容が見える位置を通過する通行人の階層構成が人数の多い順に設定されている。
例えば、ディスプレイＩＤ＝Ｄ１２３４５６のテーブル１０１−１には、午前５；００〜６；００の間には最も多い通行人階層（１）１０１２として「学生」が設定され、次に多い通行人階層（２）１０１３として「サラリーマン」が設定され、さらに次に多い通行人階層（３）１０１４として「ＯＬ」が設定されている。
この通行人管理テーブル１０１は、予約の空き時間帯などに通行人の階層構成に適した広告内容を表示する場合に用いられる。また、依頼主が現地の通行人階層を知りたい場合に、その参照要求があった場合に返信するために用いられる。
【００２６】
図１１は、サーバ２３の外部記憶装置４９内に設けられるディスプレイ管理テーブル（その２）１１１の構成を示すものであり、ディスプレイＩＤ１１１１、ディスプレイ制御装置ＩＤ１１１２、マルチスクリーンポジションコード１１１３、管理者ＩＤ１１１４、稼動開始日時１１１５、状態コード１１１６の各フィールドを備えている。
ディスプレイＩＤ１１１１は、表示装置１９〜２２を構成する各表示ユニット３４に割当てられたＩＤを示し、ディスプレイ制御装置ＩＤ１１１２は当該表示ユニット３４を駆動するディスプレイ制御装置（２４〜２６）に割当てられたＩＤである。マルチスクリーンポジションコード１１１３は、マルチスクリーン表示モードで表示する場合の当該表示ユニットの表示装置内におけるＸ−Ｙ座標を示すものである。例えば、ディスプレイＩＤ＝０００００２の表示ユニットにおける「左中央０２−０２」とは、表示装置を図３（ａ）に示すように分割して表示する場合に、図３（ａ）に符号３４Ａで示す位置に存在する表示ユニットであることを示している。管理者ＩＤ１１１４、稼動開始日時１１１５、状態コード１１１６は図９のものと同じである。
この図１１のディスプレイ管理テーブル（その２）１１１の登録内容および図９のディスプレイ管理テーブル（その１）９１の登録内容は、クライアントコンピュータ１１〜１３からの参照要求に応じて、ディスプレイ制御装置および表示ユニットの属性情報として送信される。
【００２７】
図１２は、サーバ２３の外部記憶装置４９内に設けられるコンテンツ管理テーブル１２１の構成を示すものであり、コンテンツＩＤ１２０１、予約番号１２０２、コンテンツサイズ１２０３、コンテンツデータ格納ディレクトリ１２０４の各フィールドを備えている。コンテンツＩＤ１２０１、予約番号１２０２は図７で示したものと同じである。コンテンツサイズ１２０３は、コンテンツ（表示内容）のデータサイズであり、単位はバイトである。また、コンテンツデータ格納ディレクトリ１２０４は、コンテンツデータの格納エリアを表すものである。
【００２８】
図１３は、サーバ２３の外部記憶装置４９内に設けられる表示効果レベル管理テーブル１３１の構成を示すものであり、国コード１３０１、地域コード１３０２、表示効果レベル１３０３の各フィールドを備えている。国コード１３０１、地域コード１３０２は図９のものと同じである。表示効果レベル１３０３は、表示装置の位置によって広告宣伝効果が異なるので、その広告宣伝効果の度合いを国および地域別に設定したものである。この表示効果レベル１３０３の値は、数値が大きいほど広告宣伝効果が大きいことを意味している。なお、図１３では、国と地域の２つのパラメータによって表示効果レベルを区別しているが、１つの表示装置を構成する表示ユニットの数や道路に対する向き、通行人からの見易さなども含めて設定するようにすればさらに効果的である。
【００２９】
図１４は、サーバ２３の外部記憶装置４９内に設けられる課金管理テーブル１４１の構成を示すものであり、図１３の表示効果レベルとディスプレイ数（表示ユニット数）との組み合わせにより、複数段階の利用料金（単位＝円）が設定されている。例えば、表示効果レベル＝「１」でディスプレイ数＝「１」の利用料金は「３０００円」に設定され、表示効果レベルが高いほど利用料金が高くなり、ディスプレイ数が多いほど割安料金になるように設定されている。
【００３０】
図１５は、予約済みの表示内容を表示させる場合に、サーバ２３からディスプレイ制御装置２４〜２６に送信するデータの構成を示す図であり、認証コード１５０１、スケジュール番号１５０２、表示ディスプレイ数１５０３、ディスプレイＩＤ（１）１５０４〜（ｎ）１５０５、表示開始日時１５０６、表示終了日時１５０７、マルチスクリーン表示モード１５０８、コンテンツサイズ１５０９、コンテンツデータ１５１０の各データが送信されるようになっている。
認証コード１５０１は、本システムのデータと他のシステムのデータとを区別するためのシステム固有のコードである。その他のデータは前述した各管理テーブルのものと同じである。なお、これらのデータは、ハッカーなどの不正行為によって認証コードを盗まれたり、不正データによる破壊行為から防御するために、必要に応じて特有の暗号鍵および暗号アルゴリズムで暗号化して送信される。
【００３１】
図１６は、サーバ２３がクライアントコンピュータ１１〜１３から広告依頼を受ける前に、サーバ管理者またはシステム管理者が依頼主のＩＤを依頼主管理テーブル６１（図６）に登録する場合のサーバ２３における処理を示すフローチャートである。
まず、サーバ管理者またはシステム管理者が依頼主のＩＤを登録するためのコマンドを入力すると、図１７に示すような「コンテンツ表示予約（依頼主ＩＤ入力）」画面１７０１がサーバ２３のディスプレイ表示画面に表示される。そこで、新規に登録するための新規登録ボタン１７０３、または既に登録されている依頼主ＩＤを削除するための削除ボタン１７０４または既に登録されている依頼主ＩＤを変更するための変更ボタン１７０５を操作すると、その操作内容がサーバ２３の利用者管理部４８１に入力される。
サーバ２３の利用者管理部４８１は、操作内容のデータによって処理種別を判別する（ステップ１６０１）。すなわち、新規登録であれば、依頼主ＩＤを発番し（ステップ１６０２）、さらにクライアントコンピュータ１１の依頼主の名称、依頼主種別コード、Ｅメールアドレスの個別情報をサーバ管理者またはシステム管理者に入力させ（ステップ１６０３）、さらに支払い方法の種別を入力させる（ステップ１６０４）。そして、これらの入力情報を図６の依頼主管理テーブル６１に依頼主ＩＤと１組にして登録する（ステップ１６０５）。
【００３２】
処理種別が削除であった場合、クライアントコンピュータ１１の依頼主に既に割当てられている依頼主ＩＤを依頼主ＩＤ入力フィールド１７０２に入力させる（ステップ１６０６）。この依頼主ＩＤを受付けたサーバ２３の利用者管理部４８１は、その依頼主ＩＤが登録されているレコードのデータ（依頼主種別コード〜利用制限コード）を全て削除する（ステップ１６０５）。
【００３３】
同様に、処理種別が変更であった場合、クライアントコンピュータ１１の依頼主に既に割当てられている依頼主ＩＤを依頼主ＩＤ入力フィールド１７０２に入力させる（ステップ１６０７）。この依頼主ＩＤを受付けた利用者管理部４８１は、受信した依頼主ＩＤが登録されているレコードを依頼主管理テーブル６１から探し出し、その依頼主ＩＤに代えて新たな依頼主ＩＤを入力させ（ステップ１６０８）、登録する（ステップ１６０５）。
【００３４】
図１８は、サーバ２３のコンテンツ表示予約・照会部４８２の処理の概要を示すフローチャートである。ここでは、クライアントコンピュータ１１から表示予約を行う場合について説明する。
まず、コンテンツの表示予約を行う場合、サーバ２３は依頼主ＩＤをクライアントコンピュータ１１の依頼主に入力させる。入力された依頼主ＩＤは、インタネット１５を介してサーバ２３で受信される（ステップ１８０１）。コンテンツ表示予約・照会部４８２は、受信した依頼主ＩＤが依頼主管理テーブル６１に予め登録された正規のＩＤであるか否かをチェックし（ステップ１８０２）、正規のものでなければ、再度の入力を促す。正規のものであれば、依頼主種別によって処理を振り分ける（ステップ１８０３）。すなわち、依頼主が企業であった場合には、企業用予約処理を実行し（ステップ１８０４）、官公庁であれば官公庁用の表示予約処理を実行する（ステップ１８０５）。個人であった場合には、個人用の予約処理を実行する。
【００３５】
以下、ステップ１８０６以降に示す個人用の予約処理について代表して説明する。
まず、クライアントコンピュータ１１に新規予約内容を入力させる（ステップ１８０６）。すなわち、クライアントコンピュータ１１において入力された依頼主ＩＤが正規のものであった場合には、サーバ２３は図１９に示すような広域広告予約画面１９０１をクライアントコンピュータ１１の表示画面に表示させる。この画面１９０１では、インタネット１５を通じて世界各国の表示装置に表示予約を行なえることを示すために画面中央に世界地図が表示されると共に、新規予約を行うための新規予約ボタン１９０２および予約取消ボタン１９０３が画面下部に表示されている。
そこで、新規予約を行う場合には、新規予約ボタン１９０２をマウス操作等によって指定する。すると、サーバ２３は図２０に示すような新規予約内容入力画面２００１をクライアントコンピュータ１１の表示画面に表示させる。この画面２００１では、依頼主名、依頼主Ｅメールアドレス、広告希望期間の開始日時、終了日時、予算広告希望の国名、地域名、場所名の入力フィールドが表示される。
予約を行う場合、この他に、図７の予約受付け管理テーブル７１で示しているように、ディスプレイ数７０４、ディスプレイＩＤ７０５〜７０６、コンテンツＩＤ７０９、マルチスクリーン表示モード７１０の情報が必要であるが、コンテンツＩＤ７０９を除くディスプレイ数７０４、ディスプレイＩＤ７０５〜７０６、マルチスクリーン表示モード７１０については一般の依頼主は詳しく把握していないので、とりあえず、広告希望期間の開始日時、終了日時、予算、広告希望の国名、地域名、場所名を空欄部分となっている入力フィールドに入力させる。なお、依頼主名、依頼主Ｅメールアドレスについては依頼主ＩＤが発行されているわけであるので、入力を省略することができる。また、予算についても入力を省略してもよい。
【００３６】
国名については、画面右側の国旗のマークをマウス操作によって指定することによっても入力することができるようになっている。この場合、場所名とは、地域名のさらに下位に属する位置を表すものであり、例えば地域名が「東京都千代田区」あったとすると、場所名は「丸の内」といったものである。地域名、場所名については、国名を入力した後、参照ボタン２００２を操作することによって詳しく見ることができるようになっている。例えば、国名として「アメリカ」を入力し、参照ボタン２００２を操作すると、図２１に示すように、「アメリカ」の地図２１０２を表示した地域名参照画面２１０１が表示されるので、この画面２１０１の中の地域名＝地域コード一覧２１０３の中から予約希望の地域名を選択して入力する。例えば「アラスカ州」を入力すると、画面右側に「アラスカ州」の地図２１０４が表示される。そこで、詳細ボタン２１０５を操作すると、「アラスカ州」の中で本システムが管理している表示装置の場所を示す場所名の一覧が地域名一覧と同様にして表示されるので、その中から場所名を選択する。地域名および場所名については、地図上の位置をマウスのクリック操作で指定することも可能である。
【００３７】
図２２は、地域名として「東京都」を指定した場合に表示される地域詳細参照画面２２０１の例を示すものであり、画面左側に「東京都」を含む地図２２０２が表示され、画面右側に東京都内の区部の地域名と地域コードの一覧２２０３が表示される。そこで、「千代田区」をマウス操作で選択すると、「千代田区」内の場所名の一覧２２０４が表示される。次に、場所名一覧２２０４の中から「丸の内」を選択すると、図２３の地域詳細参照画面２３０１に示すように、「丸の内」を含む地図が表示されると共に、「丸の内」に設置されている表示装置のディスプレイＩＤの一覧２３０２が表示される。広告を表示させたい場所を地図２３０３上で指定すると、その指定位置近傍の場所に存在するディスプレイＩＤが他の場所のＩＤと区別されて表示される。例えばブリンク表示されるので、この中で所望のディスプレイＩＤを選択する。
この場合、各ディスプレイＩＤの表示ユニットがマルチスクリーン表示モードでの表示が可能かどうかなどを知る必要があるので、属性参照ボタン２３０４を操作する。すると、選択したディスプレイＩＤの表示ユニットを含む表示装置の属性が図２４に示すような地域詳細参照画面２４０１の右側に表示される。図２４では、選択したディスプレイＩＤの表示ユニットを含む表示装置の属性の１つである広告表示パターン２４０２として、４つの表示パターンＰ１〜Ｐ４での表示が可能であることが表示されている。このうちＰ３は１つの表示装置の表示領域を上下に２分割したマルチスクリーン表示が可能であることを示し、Ｐ４は１つの表示装置の表示領域を左右に２分割したマルチスクリーン表示が可能であることを示している。
【００３８】
表示装置の属性の他に、当該地域の様子を知りたい場合、詳細ボタン２４０３を操作すると、図２５に示すような地域詳細参照画面に遷移し、場所名＝「丸の内」の様子を撮影した静止画（または動画）２５０２が表示される。この画像によって当該地域の様子を知ることができ、それに適切な広告コンテンツを選択するのに役立てることができる。そして、住民基本情報参照ボタン２５０３を選択すると、図２６に示すような地域詳細参照画面２６０１に遷移し、「千代田区丸の内」の住民に関する住民構成、経済指標、環境指標等のデータが数値で表示される。広告コンテンツを選択する際に、このデータを参照して適切なもの選択することができる。
【００３９】
以上のようにして新規予約に必要な情報を順次に取得しながら入力することができる。なお、図２５で示した静止画（または動画）２５０２および図２６で示した住民基本情報はサーバ２３内に記憶させておく代わりにインタネット１５でのリンク先を指定しておき、そこから取得して表示させるようにすることができる。
また、地域詳細参照画面を順次遷移させながら取得する代わりに、条件検索部４９２を起動し、希望する場所のディスプレイＩＤ等の情報を取得することもできる。
【００４０】
条件検索によって希望する場所のディスプレイＩＤ等の情報を取得しようとする場合、図２０の画面下部の条件検索ボタン２００３を操作する。すると、図２７の新規予約＝条件検索画面２７０１に遷移し、この画面中に、依頼主名、広告希望期間、予算、広告希望場所、連携する他の広告メディア、広告表示パターン等の条件入力フィールドが表示されるので、必要な情報を入力する。ここで、必須の情報は、依頼主名、広告希望期間、予算、広告希望場所、広告表示パターンであるが、連携する他の広告メディアとして携帯電話等の携帯端末を指定することもできる。地域名や場所名については、地図上の位置をマウスのクリック操作によって指定することも可能である。
【００４１】
サーバ２３の条件検索部４９２は、入力された条件に従い、予約受付け管理テーブル７１、スケジュール管理テーブル８１、ディスプレイ管理テーブル９１および１１１、表示効果レベル管理テーブル１３１、課金管理テーブル１４１を参照し、条件を満たす場所に存在するディスプレイＩＤを取得し、依頼元のクライアントコンピュータ１１に返信する。これにより、依頼元のクライアントコンピュータ１１では、図２８に示すような条件検索結果画面２８０１が表示され、ここで、条件を満たす場所に存在するディスプレイＩＤが表示される。この場合、条件を満足しているが、既に予約が確定しているディスプレイＩＤについては、図２８に示すように「予約不可」のコメントが付加されて表示される。依頼主は、検索結果で示されたディスプレイＩＤを予約する場合、個別にディスプレイＩＤをマウス操作によって選択し、予約登録ボタン２８０２を操作する。すると、そのディスプレイＩＤが予約内容の中に付加されてサーバ２３に送信される。同時に、画面２８０１の中の予約数フィールド２８０３の国数、地域数、場所数、ディスプレイ数の値が予約登録操作ごとに更新される。この予約数フィールド２８０３の内容によって予約した場所の数やディスプレイ数を知ることができる。
【００４２】
図１８に戻り、新規予約内容の入力が終了したならば、入力された予約内容を予約受付け管理テーブル７１に登録する。次に、新規に入力された予約内容の表示装置が既に予約済みであるか否かを予約受付け管理テーブル７１内で検索することによって調べる（ステップ１８０７）。予約済みでなければ、新規に入力された予約内容の表示ディスプレイ数が複数か１つかを判定し（ステップ１８０９）、１つであれば、サンプルコンテンツの選択処理を行う（ステップ１８１１）。
【００４３】
ステップ１８０７において、新規に入力された予約内容の表示装置が既に予約済みである場合には、表示予約オークション処理部４８５を起動し、競合する複数の依頼主同士でのオークションによって利用金額の多い方の予約を優先して確定する（ステップ１８０８）。
【００４４】
図２９は、この表示予約オークション処理部４８５の処理の詳細を示すフローチャートであり、まず、表示開始日が予約終了日より過ぎているか否かをチェックし、過去の日であった場合にはオークション利用が不可能であることをクライアントコンピュータ１１に通知する（ステップ２９０３）。しかし、現在より先の日であった場合には、予約が競合している先約の予約金額を予約受付け管理テーブル７１から読出し、クライアントコンピュータ１１に送信して表示させ、この表示金額を参照してオークション金額を入力させる（ステップ２９０４）。入力された金額が先約の予約金額を下回っている場合には（ステップ２９０５）、再度、オークション金額を入力させる。そして、再入力されたオークション金額が先約の予約金額を上回った場合には、先約の予約内容をキャンセルし、新規の依頼主の予約内容を予約受付け管理テーブル７１に登録する（ステップ２９０６）。なお、再入力されたオークション金額が先約の予約金額を再度下回っていた場合には、新規予約はオークションによって受付けが拒否されたことをクライアントコンピュータ１１に通知する。
【００４５】
先約の予約内容をキャンセルした場合、その先約の依頼主が使用するクライアントコンピュータに対し、Ｅメールによって予約内容がキャンセルされたことを通知する（ステップ２９０７）。この場合、先約の依頼主には、再度のオークション処理を指定回数限度内で認め、予約の権利を奪還させることもできる。
以上のようにして、いずれかの予約が確定したならば、そのことを競合する依頼主のクライアントコンピュータに送信して表示させ、確認させる（ステップ２９０８）。
【００４６】
ステップ１８０９において、新規に入力された予約内容の表示ディスプレイ数が複数であった場合には、マルチスクリーン管理部４８８を起動し、マルチスクリーンモード指定処理を実行させる（ステップ１８１０）。このマルチスクリーンモード指定処理では、図３０に示すように、予約内容の中に複数のディスプレイ数が指定されているか否かによってマルチスクリーン表示指定があるかどうかを判定し（ステップ３００１）、複数のディスプレイ数が指定されている場合には、どのような表示パターンにするかの表示モードをクライアントコンピュータ１１の依頼主に入力させる（ステップ３００２）。
そこで、例えば表示装置を上下に２分割した表示パターンで表示する表示モードが入力された場合、次にその表示モードでの表示が可能であるか否かをディスプレイ管理テーブル（その２）１１１のマルチスクリーンポジションコード１１１３によってチェックし（ステップ３００３）、可能であれば、予約受付け管理テーブル７１のマルチスクリーン表示モード７１０を入力された表示モードに設定する（ステップ３００４）。しかし、不可能な場合には、マルチスクリーン表示モード＝「なし」に設定する。
【００４７】
マルチスクリーン表示モードの設定が終了したならば、依頼主に広告のサンプルコンテンツを選択させる（ステップ１８１１）。このサンプルコンテンツは、表示装置に表示させた場合に、どのような表示内容になるかを想定させるためのものである。次に、表示メッセージを入力させる（ステップ１８１２）。これは、依頼主が実際に表示させようとしているメッセージである。
表示メッセージが入力されたならば、コンテンツチェック部４８６を起動し、そのメッセージの中に不適切な表現がないかどうかをチェックする（ステップ１８１３）。不適切な表現が含まれていた場合には、訂正して再入力させる。不適切な表現がなければ、次に主要母国語への翻訳を行うか否かを依頼主に問い合わせ（ステップ１８１４）、翻訳の指定がなされた場合には、主要母国語翻訳部４９１を起動し、表示メッセージを主要母国語に翻訳させる（ステップ１８１５）。翻訳の指定がない場合には、次に、コンテンツの模擬表示を行うか否かを依頼主に問い合わせ（ステップ１８１６）、模擬表示の指定がなされた場合には、コンテンツ模擬表示部４８３を起動し、ステップ１８１１で入力されたサンプルコンテンツを表示メッセージと共にクライアントコンピュータ１１に送信し、表示画面上に模擬表示させる（ステップ１８１７）。その後、依頼主管理テーブル６１を更新する（ステップ１８１８）。すなわち、予約受付け管理テーブル７１の予約内容と予約金額７１１を更新し、さらに予約状態コード７１２を「確定」に設定する。
【００４８】
ステップ１８１５の主要母国語翻訳指定処理では、図３１に詳細を示しているように、まず、翻訳対象の母国語を依頼主に選択させる（ステップ３１０１）。次に、ステップ１８１２で入力された表示メッセージの翻訳メッセージを作成し（ステップ３１０２）、その翻訳メッセージをクライアントコンピュータ１１に送信して画面に表示させ、正しいかどうかを依頼主に確認させる（ステップ３１０３）。訂正メッセージが入力された場合は、その訂正メッセージに従って翻訳メッセージを訂正する（ステップ３１０４）。依頼主が希望する翻訳メッセージが完了したならば、その翻訳メッセージとサンプルコンテンツを合成し、表示装置に送信するコンテンツデータを作成する（ステップ３１０５）。そして、このコンテンツデータにコンテンツＩＤを割当て、予約受付け管理テーブル７１のコンテンツＩＤ７０９として登録する。また、コンテンツ管理テーブル１２１にコンテンツサイズ１２０３とコンテンツデータ格納ディレクトリ１２０４を登録する。
【００４９】
このようにして予約内容が確定したならば、その予約内容はスケジューリング部４８７と表示情報同報送信部４８９によって実際の表示開始時刻の所定時間前に該当する表示装置に向けて送信される。図３２は、スケジューリング部４８７の処理を示すフローチャートであり、まず、１日１回、予約受付け管理テーブル７１から表示開始日付が所定期間後である予約内容を抽出する（ステップ３２０１）。次に、スケジュール番号を発番し、スケジュール管理テーブル８１にスケジュール番号８０１、予約番号８０２を追加する（ステップ３２０２）。
次に、スケジュール管理テーブル８１の送信状態コード８０３が送信待ちあるいは送信エラーとなっている予約内容を抽出し（ステップ３２０３）、さらに予約受付け管理テーブル７１とコンテンツ管理テーブル１２１をもとに図１５に示したようなディスプレイ制御装置への送信データを作成する（ステップ３２０４）。次に、ディスプレイ管理テーブル（その１）９１から送信先のディスプレイ制御装置のＩＰアドレス９０２を取得し、データを送信する（ステップ３２０５）。この送信処理がエラーが発生することなく終了したならば、スケジュール管理テーブル８１の送信状態コード８０３を「送信済」に更新する（ステップ３２０６）。
しかし、送信エラーが発生した場合には、所定回数の再送処理を行い、所定回数の再送処理を行っても送信エラーとなる場合にはスケジュール管理テーブル８１の送信状態コード８０３を「送信エラー」に更新する（ステップ３２０７，３２０８）。
【００５０】
送信先のディスプレイ制御装置では、コンテンツデータを表示情報受信部５６１で受信処理した後、表示パターン展開処理部５６２で表示画像に展開する。この表示画像は世界カレンダー５６４の標準時刻をもとに依頼主が予約した時間帯でディスプレイ駆動回路５８により表示装置１９（２０／２１／２２）に送られ、画像として表示される。
【００５１】
ディスプレイ制御装置では、表示している間の電力量を電力計６０からの計測データによって逐次検出し、表示期間が終了したならば、サーバ２３にスケジュール番号を付加して返信する。
サーバ２３は、受信した電力量の値が使用電力量概算計算部４９３によって計算した電力量の許容範囲内にない場合には、正常に表示されなかったものとして表示履歴データを作成すると共に、システム保守管理者が使用するクライアントコンピュータ１４に対し保守点検作業の指示メッセージを送信する。表示が正常に行われない現象は、ディスプレイ制御装置自身の故障、通信回線の異常、表示装置の故障の他に、ディスプレイ制御装置を設置した構造物の持ち主等が故意に表示時間を短くする、あるいは全く表示させないなどの不正行為をした場合も起こり得る。使用電力量概算計算部４９３はこれらの現象を全て検出するために特別に用意されるものであり、この機能を用意しておくことにより、表示装置が国外の遠隔地にあっても装置故障あるいは不正行為を確実に検出し、対策をとることが可能になる。
【００５２】
ところで、表示最適情報管理部４９０は、各表示装置の空き時間を１日に１回ずつ監視している。図３３は、表示最適情報管理部４９０の処理を示すフローチャートであり、まず、１日に１回、予約受付け管理テーブル７１から所定時間後に予約の入っていない時間帯をディスプレイ制御装置ごとに抽出する（ステップ３３０１）。そして、そのディスプレイ制御装置のＩＤを用いて通行人管理テーブル１０１から当該ディスプレイ制御装置が管理している表示装置の表示内容が見える位置を通行する通行人の階層構成のデータを取得し、その通行人をターゲットとするコンテンツデータをコンテンツ管理テーブル１２１から抽出し（ステップ３３０２）、そのコンテンツデータをフリーコンテンツとするコンテンツデータを作成する（ステップ３３０３）。そして、ディスプレイ管理テーブル（その１）９１から送信先のディスプレイ制御装置のＩＰアドレスを取得し、ステップ３３０３で作成したコンテンツデータを送信する（ステップ３３０４）。
【００５３】
このコンテンツデータを受信したディスプレイ制御装置は、通行人をターゲットとするコンテンツデータを表示させる。
このようにして、表示装置の空き時間を利用して通行人をターゲットとするコンテンツデータを表示することにより、表示装置の無駄時間をなくし、かつ通行人の階層構成に適した効果的な宣伝効果を得ることができる。
【００５４】
課金情報管理部４８４は、新規予約があった場合の利用料金を算出するものであり、図３４にその処理の概要を示している。
まず、予約した表示位置（ディスプレイ制御装置ＩＤ）をもとにディスプレイ管理テーブル（その１）９１を参照し、国コード９０３と地域コード９０４を取得する（ステップ３４０１）。次に、国コード９０３と地域コード９０４をもとに、表示効果レベル管理テーブル１３１を参照し、表示効果レベル１３０３を取得する（ステップ３４０２）。次に、その表示効果レベル１３０３と予約したディスプレイ数をもとに課金管理テーブル１４１を参照し、単位時間当りの利用料金を取得する（ステップ３４０３）。
次に、予約した表示時間と単位時間当りの利用料金を乗算し、本予約における利用料金（依頼主への請求料金）を算出する（ステップ３４０４）。最後に、依頼主管理テーブル６１を参照し、利用ポイント６０６に応じた割引料金を算出する（ステップ３４０５）。
この課金管理処理で算出された利用料金はオークション処理によって更新されるが、オークション処理が行われなかった場合には（予約が競合しなかった場合には）、そのまま依頼主への請求金額となる。
【００５５】
図３５は、コンテンツ模擬表示部４８３によってクライアントコンピュータ１１の画面に表示されるコンテンツの模擬表示画面３５０１の例を示すものである。ここでは、３月１日に発売開始となるコンピュータの画像３５０２とメッセージ「３月１日発売開始」３５０３が表示されている例を示している。図３６（ａ）は、図３５の模擬表示と同じ広告を１つの表示装置３６０１に表示させた例を示すものである。図３６（ｂ）は、２つの表示装置３６０２と３６０３を連携させ、図３６（ａ）の表示内容と「画質向上」、「通信機能強化」のメッセージを連携して表示させた例を示すものである。
このような連携表示を行うことにより、広告宣伝効果がさらに向上する。
【００５６】
【発明の効果】
以上のように本発明によれば、一般の広告依頼主を含む全ての依頼主が簡便な操作で広告内容および表示位置を選択して表示させることができる。
また、予算あるいは広告宣伝効果を依頼主側で考慮した広告の仕方を選択することができる。
さらに、通行人の階層構成を考慮し、適切な広告宣伝効果を得ることができる。
また、インタネットを通じて予約、コンテンツの配信を行っているため、複数の国で同じ日に同じ広告内容を表示させることができる。
【図面の簡単な説明】
【図１】本発明による広域広告提供システムの実施形態を示すシステム構成図である。
【図２】構造物に設置される表示装置の構成を示すブロック構成図である。
【図３】表示装置の分割表示形式の例を示す図である。
【図４】サーバの内部構成を示すブロック構成図である。
【図５】ディスプレイ制御装置の内部構成を示すブロック構成図である。
【図６】依頼主管理テーブルの構成図である。
【図７】予約受付け管理テーブルの構成図である。
【図８】スケジュール管理テーブルの構成図である。
【図９】ディスプレイ管理テーブル（その１）の構成図である。
【図１０】通行人管理テーブルの構成図である。
【図１１】ディスプレイ管理テーブル（その２）の構成図である。
【図１２】コンテンツ管理テーブルの構成図である。
【図１３】表示効果レベル管理テーブルの構成図である。
【図１４】課金管理テーブルの構成図である。
【図１５】ディスプレイ制御装置への送信データの構成図である。
【図１６】依頼主管理処理のフローチャートである。
【図１７】依頼主ＩＤ入力画面の例を示す図である。
【図１８】コンテンツ表示予約処理のフローチャートである。
【図１９】広域広告予約画面の例を示す図である。
【図２０】新規予約内容入力画面の例を示す図である。
【図２１】地域名参照画面の例を示す図である。
【図２２】地域詳細参照画面の例を示す図である。
【図２３】図２２に続く地域詳細参照画面の例を示す図である。
【図２４】図２３に続く地域詳細参照画面の例を示す図である。
【図２５】図２４に続く地域詳細参照画面の例を示す図である。
【図２６】図２５に続く地域詳細参照画面の例を示す図である。
【図２７】条件検索画面の例を示す図である。
【図２８】条件検索結果の画面例を示す図である。
【図２９】表示予約オークション処理のフローチャートである。
【図３０】マルチスクリーン管理処理のフローチャートである。
【図３１】主要母国語翻訳処理のフローチャートである。
【図３２】スケジューリング処理のフローチャートである。
【図３３】表示最適情報管理処理のフローチャートである。
【図３４】課金管理処理フローチャートである。
【図３５】コンテンツ模擬表示の例を示す図である。
【図３６】広告表示の例を示す図である。
【符号の説明】
１１，１２，１３，１４…クライアントコンピュータ、１５…インタネット、１６，１７，１８…構造物、１９，２０，２１，２２…表示装置、２３…サーバ、２４，２５，２６…ディスプレイ制御装置、３４…表示ユニット、５８…ディスプレイ駆動回路、６０…電力計、４８１…利用者管理部、４８２…コンテンツ表示予約・照会部、４８３…コンテンツ模擬表示部、４８４…課金情報管理部、４８５…表示予約オークション処理部、４８６…コンテンツチェック部、４８７…スケジューリング部、４８８…マルチスクリーン管理部、４８９…表示情報同報配信部、４９０…表示最適情報管理部、４９１…主要母国語翻訳部、４９２…条件検索部、４９３…使用電力量概算計算部、４９４…世界カレンダー、５６２…表示パターン展開処理部。
【図１】
0003687954.tif 000002
【図２】
0003687954.tif 000003
【図３】
0003687954.tif 000004
【図４】
0003687954.tif 000005
【図５】
0003687954.tif 000006
【図６】
0003687954.tif 000007
【図７】
0003687954.tif 000008
【図８】
0003687954.tif 000009
【図９】
0003687954.tif 000010
【図１０】
0003687954.tif 000011
【図１１】
0003687954.tif 000012
【図１２】
0003687954.tif 000013
【図１３】
0003687954.tif 000014
【図１４】
0003687954.tif 000015
【図１５】
0003687954.tif 000016
【図１６】
0003687954.tif 000017
【図１７】
0003687954.tif 000018
【図１８】
0003687954.tif 000019
【図１９】
0003687954.tif 000020
【図２０】
0003687954.tif 000021
【図２１】
0003687954.tif 000022
【図２２】
0003687954.tif 000023
【図２３】
0003687954.tif 000024
【図２４】
0003687954.tif 000025
【図２５】
0003687954.tif 000026
【図２６】
0003687954.tif 000027
【図２７】
0003687954.tif 000028
【図２８】
0003687954.tif 000029
【図２９】
0003687954.tif 000030
【図３０】
0003687954.tif 000031
【図３１】
0003687954.tif 000032
【図３２】
0003687954.tif 000033
【図３３】
0003687954.tif 000034
【図３４】
0003687954.tif 000035
【図３５】
0003687954.tif 000036
【図３６】
0003687954.tif 000037